(57)【要約】【課題】使用者が簡便にグリルで調理する調理メニューを選択可能な加熱調理器を提供する。【解決手段】  本体の上方に載置する被加熱物を加熱する第１加熱部と、加熱部の下方に設けられる調理庫と、調理庫内に載置する被加熱物を加熱する第２加熱部と、調理庫の操作を行う操作部と、操作部で選択された情報を表示する表示部と、を備えた加熱調理器において、表示部は、調理庫で調理できる複数の調理メニューを表示し、操作部は、表示部に表示されている複数の調理メニューの中から調理メニューを双方向に選択可能な操作ボタンと、操作ボタンで選択された調理メニューに機能を付加する複数の付加ボタンと、を備える。【選択図】図４
2020202143.tif 000002
【特許請求の範囲】
【請求項１】
本体の上方に載置する被加熱物を加熱する第１加熱部と、
前記加熱部の下方に設けられる調理庫と、
前記調理庫内に載置する被加熱物を加熱する第２加熱部と、
前記調理庫の操作を行う操作部と、
前記操作部で選択された情報を表示する表示部と、を備えた加熱調理器において、
前記表示部は、前記調理庫で調理できる複数の調理メニューを表示し、
前記操作部は、前記表示部に表示されている前記複数の調理メニューの中から調理メニューを双方向に選択可能な操作ボタンと、前記操作ボタンで選択された前記調理メニューに機能を付加する複数の付加ボタンと、を備える加熱調理器。
【請求項２】
請求項１に記載の加熱調理器において、
前記操作ボタンで選択された前記調理メニューに応じて、選択可能な前記付加ボタンが異なる、加熱調理器。
【請求項３】
被加熱物を載置するプレートと、
前記プレートの下方に設けられ前記被加熱物を加熱する加熱部と、
前記加熱部に供給する電力を制御するインバータと、
前記加熱部の火力が入力される火力設定部と、
前記火力設定部で設定された前記火力に関する情報を表示する火力表示部と、を備え、
前記火力表示部は、少なくとも前記火力を、１つ以上のバーで構成される第１火力バーで表示し、
前記第１火力バーは、入力された前記火力設定部に対応して表示される、加熱調理器。
【発明の詳細な説明】
【技術分野】
【０００１】
本発明は、加熱調理器に関する。
【背景技術】
【０００２】
従来、複数種類の調理が可能なグリルを備える加熱調理器では、加熱調理器の天板に設けられる表示部とは異なるグリル用の表示部を用いて、オーブン（グリル）で調理可能な調理メニューを表示していた。また、加熱調理器の天板に設けられる操作部とは異なるグリル用の操作部を用いて、グリル用の表示部に表示されている調理メニューの中からグリルで調理を行う調理メニューの選択を行っていた。特許文献１には、誘導加熱調理器上面に設けられている操作表示を行うものとは異なる位置に、操作表示を行う第１操作表示部が設けられている、誘導加熱調理器が記載されている。その第１操作表示部には、グリルの６種類の自動調理メニュー、グリルの庫内が一定温度になるように温度調節を行うときの温度設定する機能、およびグリルの庫内の汚れを落とすためのお手入れ機能が表示されている。そして、第１操作表示部のグリルメニュー選択スイッチを押すことで前述のメニューを選択するものである。
【先行技術文献】
【特許文献】
【０００３】
【特許文献１】特開２００９−２５８６号公報
【発明の概要】
【発明が解決しようとする課題】
【０００４】
特許文献１に記載されている加熱調理器では、グリルメニュー選択スイッチを押すごとに、選択状態のメニューが一方向にローテートする。しかしながら、近年は時短や小手間など調理ニーズの多様化からグリルで調理できる調理メニューもより多くの搭載が望まれている。また、調理メニューを多く搭載した場合、希望する調理メニューを選択する際、従来の一方向での選択方式では、希望の調理メニューを通りすぎた場合、調理メニューを戻すことができず、また、選択順序が後方の調理メニューを選択するにはよりたくさんの操作が必要になる。
【０００５】
本発明は、使用者が簡便にグリルで調理する調理メニューを選択可能な加熱調理器を提供することを目的とする。
【課題を解決するための手段】
【０００６】
本発明は、上記の課題を解決するためになされたものであり、本体の上方に載置する被加熱物を加熱する第１加熱部と、加熱部の下方に設けられる調理庫と、調理庫内に載置する被加熱物を加熱する第２加熱部と、調理庫の操作を行う操作部と、操作部で選択された情報を表示する表示部と、を備えた加熱調理器において、表示部は、調理庫で調理できる複数の調理メニューを表示し、操作部は、表示部に表示されている複数の調理メニューの中から調理メニューを双方向に選択可能な操作ボタンと、操作ボタンで選択された調理メニューに機能を付加する複数の付加ボタンと、を備えるものである。
【発明の効果】
【０００７】
本発明によれば、使用者が簡便にグリルで調理する調理メニューを選択可能な加熱調理器を提供できる。上記した以外の課題、構成及び効果は以下の実施形態の説明により明らかにされる。
【図面の簡単な説明】
【０００８】
【図１】本発明の一実施形態に係る、通信端末で操作可能な誘導加熱調理器の外観図である。
【図２】本発明の一実施形態に係る、誘導加熱調理器の制御ブロック図である。
【図３】本発明の一実施形態に係る、前面操作部を示す図である。
【図４】本発明の一実施形態に係る、トッププレートを示す図である。
【図５】本発明の一実施形態に係る、上面操作部および上面表示部の図である。
【図６】本発明の一実施形態に係る、上面表示部右に火力９が表示されている状態を示す図である。
【図７】本発明の一実施形態に係る、上面表示部右に火力４が表示されている状態を示す図である。
【図８】本発明の一実施形態に係る、上面表示部右に火力１２が表示されている状態を示す図である。
【図９】本発明の一実施形態に係る、誘導加熱調理器の外観図の斜視図である。
【図１０】本発明の一実施形態に係る、誘導加熱調理器の外観図の平面図である。
【図１１】本発明の一実施形態に係る、誘導加熱調理器の外観図の平面図である。
【図１２】本発明の一実施形態に係る、誘導加熱調理器の外観図の右側面図である。
【図１３】本発明の一実施形態に係る、誘導加熱調理器の外観図の左側面図である。
【図１４】本発明の一実施形態に係る、誘導加熱調理器の外観図の底面図である。
【図１５】本発明の一実施形態に係る、誘導加熱調理器の外観図の背面図である。
【図１６】本発明の一実施形態に係る、誘導加熱調理器の内部機構省略のＡ−Ａ断面図である。
【図１７】本発明の一実施形態に係る、誘導加熱調理器の内部機構省略のＢ−Ｂ断面図である。
【図１８】本発明の一実施形態に係る、誘導加熱調理器のＣ−Ｃ部分拡大図である。
【図１９】本発明の一実施形態に係る、誘導加熱調理器のグリルドアを開けた状態を示す参考図である。
【図２０】本発明の一実施形態に係る、誘導加熱調理器の透光性および透明部を示す参考図である。
【発明を実施するための形態】
【０００９】
以下、図面等を用いて、本発明の実施例について説明する。以下の説明は本発明の内容の具体例を示すものであり、本発明がこれらの説明に限定されるものではない。本明細書に開示される技術的思想の範囲内において当業者による様々な変更および修正が可能であり、下記の実施例の構成を適宜組み合わせることも当初から予定している。また、本発明を説明するための全図において、同一の機能を有するものは、同一の符号を付け、その繰り返しの説明は省略する場合がある。
【００１０】
図１は、本発明の一実施形態に係る誘導加熱調理器１００をシステムキッチンに組込んだ外観斜視図である。
【００１１】
本体１０１の上面には、結晶化ガラスや非結晶化ガラスのトッププレート１０２が載置されている。トッププレート１０２の周囲の端部は、トッププレート枠１０３で覆われている。
【００１２】
トッププレート１０２の上面には、鍋位置表示部１０４、１０５および１０６が設けられており、鍋等の被加熱物の載置場所を表示している。
【００１３】
本体１０１内であって鍋位置表示部１０４、１０５および１０６の下部には、加熱コイル２０１、２０２および２０３（図２参照）が設けられている。加熱手段としての加熱コイル２０１、２０２、２０３には、高周波電流を印加して高周波磁界を発生させ、トッププレート１０２に載置された鍋等の被加熱物を誘導加熱する。
【００１４】
グリル加熱手段１０７（調理庫）は、加熱コイル２０１、２０２、２０３の下方であって本体１０１の左側または右側（本実施例では左側）の前面部に設けられている。グリル加熱手段１０７は、矩形状の箱体で構成されており、グリル加熱手段１０７の内部に置かれた被加熱物を加熱するヒータ２０４等の加熱手段を有している。グリル加熱手段１０７の前面には、開閉可能なグリルドア１１８が設けられており、グリルドア１１８には窓部１１７およびハンドル１１９が設けられている。
【００１５】
トッププレート枠１０３の後枠部には開口した吸気部１０８が設けられており、インバータ回路２０５、２０６および２０７、ヒータ制御回路２０８、加熱コイル２０１、２０２および２０３等を冷却する空気を吸気する。
【００１６】
また、トッププレート枠１０３の後枠部には開口した排気部１０９が設けられており、インバータ回路２０５、２０６、２０７、ヒータ制御回路２０８や加熱コイル２０１、２０２、２０３等を冷却した空気やグリル加熱手段１０７からの排煙を排気する。そして、吸気部１０８及び排気部１０９は、トッププレート１０２上にこぼした液体が開口部から吸気部１０８や排気部１０９内に落下しても本体１０１内部のインバータ回路２０５等に浸入しない構成となっている。なお、吸気部１０８の位置に排気部１０９を設け、吸気部は本体１０１の前方や後方に設けても良い。
【００１７】
本体１０１の左側または右側（本実施例では右側）の本体１０１前面部には、開閉収納式の前面操作部１１０が設けられている。この前面操作部１１０は主にグリル加熱手段１０７を操作するものであり、グリル加熱手段１０７の隣に位置するように設けられている。
【００１８】
また、前面操作部１１０は、閉じているときに上部を本体１０１側に押すことによりロック装置（図示せず）が解除され、前面操作部１１０の上部がバネにより前面側にゆっくりと回動して飛び飛出し、逆に閉じるときは上部を本体１０１側に向かって押し込むことにより本体１０１に収納され、ロック装置により保持される構成となっている。なお、図１は前面操作部１１０が開いている状態を示す。
【００１９】
前面操作部１１０には入力手段となる前面操作キー１１０ａが設けられ、グリル加熱手段１０７のヒータ２０４への電力の入切や、調理物の調理方法を複数の調理メニュー等から選択して入力するものである。前面操作キー１１０ａで入力した入力情報は表示手段である前面表示部１１０ｂで使用者に判り易く表示される。
【００２０】
前面操作部１１０の上方には、誘導加熱調理器の本体１０１の主電源の入切を行う電源切／入スイッチ１１１と、後述する通信手段１１４が設けられている。
【００２１】
本体１０の上面の手前側には、上面操作部１１２が設けられており、夫々の加熱コイル２０１、２０２、２０３の火力の設定や調理物の調理方法をメニュー等から入力する上面操作キー１１２ａから構成されている。また、上面操作部１１２の後方には、上面操作キー１１２ａで入力した入力情報を表示する表示手段である上面表示部１１３が設けられている。
【００２２】
本実施例の誘導加熱調理器の本体１０１は、無線ルータ１３０と無線通信を行う通信手段１１４を備えている。また、スマートフォン、タブレットといった通信端末１２０も同様に、無線ルータ１３０と無線通信を行う通信機能を備えている。それぞれ、無線ルータ１３０との間でＷｉＦｉ（登録商標）等の無線ＬＡＮによる無線通信を行う。無線ルータ１３０はインターネット等のネットワーク１４０に接続されている。誘導加熱調理器１００および通信端末１２０は、無線ルータ１３０、ネットワーク１４０を介して、サーバ１５０にアクセス可能である。そして、誘導加熱調理器１００と通信端末１２０は無線ルータ１３０を介して通信可能である。なお、誘導加熱調理器１００と通信端末１２０との間の通信はこれに限られない。ブルートゥース（登録商標）等、数ｍから数十ｍ程度の距離で無線通信を行う近距離無線通信規格を利用して、誘導加熱調理器１００と通信端末１２０との間で通信してデータのやり取りをしても良い。
【００２３】
また、通信端末１２０は誘導加熱調理器１００の調理に関係するアプリケーションソフトウェアをサーバ１５０からダウンロードし、インストールする。
【００２４】
また、通信端末１２０のアプリケーションソフトウェアにて選択された調理情報を無線ルータ１３０を介して通信手段１１４に送信することで、調理情報に沿って誘導加熱調理器を制御することができる。
【００２５】
図２は、本発明の一実施形態に係る誘導加熱調理器の制御ブロック図である。
【００２６】
図２に示すように、本体１０１には、商用電源２１０のラインにはフィルタ回路を搭載したフィルタ手段２１１が設けられ、インバータ回路（２０５，２０６，２０７）より生じる雑音ノイズを抑制し、雑音ノイズが商用電源２１０に漏洩することを防ぐ。
【００２７】
マイクロコンピュータで構成された制御手段２１２は、前面操作部１１０に設けた前面操作キー１１０ａ、上面操作部１１２に設けた上面操作キー１１２ａなどの入力手段から入力した入力情報を受け、表示手段である前面表示部１１０ｂ、上面表示部１１３に表示信号を出力する。また、制御手段２１２は、通信手段１１４や通信手段１１５を介して外部の機器から受信した情報に応じて、前面表示部１１０ｂや上面表示部１１３に表示信号を出力する。
【００２８】
また、制御手段２１２は、入力情報に従い、ヒータ制御回路２０８に制御信号を出力して加熱源であるヒータ２０４の通電を制御したり、インバータ回路２０５、２０６、２０７に制御信号を出力して加熱コイル２０１、２０２、２０３に供給する電力を制御したりする。
【００２９】
さらに、制御手段２１２には、無線ルータ１３０と通信を行う通信手段１１４と、通信端末１２０と通信を行う通信手段１１５と、機器の使い方や調理の終了等を音楽や音声で使用者に知らせる報知部２１３が接続されている。
【００３０】
入力手段と表示手段を持ち合わせた通信端末１２０には、無線ルータ１３０との無線通信を行う通信手段１２１と、加熱調理器の本体１０１の通信手段１１５と無線通信を行う通信手段１２２と、表示画面上で入力操作を行う操作・表示部１２３と、機器の使い方や調理の終了等を音楽や音声で使用者に知らせる報知部１２４と、アプリケーションソフトウェア等を記憶する記録手段１２５とを備えている。
【００３１】
図３は、前面操作部１１０を示す図である。前面操作部１１０の下方には入力手段となる前面操作キー１１０ａが設けられ、グリル加熱手段１０７のヒータ２０４への電力の入切や、調理物の調理方法を複数の調理メニュー等から選択して入力するものである。前面操作キー１１０ａで入力した入力情報は表示手段である前面表示部１１０ｂで使用者に判り易く表示される。
【００３２】
前面表示部１１０ｂには、調理メニューの分類を表示する分類メニュー表示部３００が設けられている。本実施例では、計８つの調理メニューが表示されている。分類メニュー表示部３００に表示されている調理メニューは、グリルで調理可能な調理メニューの全てである。後述するメニュー選択部３０４で選択されたメニューは、地色や文字色が変わったり、点滅するなどにより、選択されたことが示される。
【００３３】
前面操作キー１１０ａには、分類メニュー表示部３００に表示されている調理メニューの中から所望の調理メニューを選択するためのメニュー選択部３０４、メニュー選択部３０４で選択された調理メニューに応じたコースを選択可能であるコース選択部３０１〜３０３、メニュー選択部３０４で選択された調理メニューまたはメニュー選択部３０４で選択された調理メニューにコースが追加された調理メニューでの調理を開始する切／スタート選択部３０５が設けられている。
【００３４】
調理メニュー選択部３０４で選択した後に切／スタート選択部３０５を押下することで、選択された調理を開始する。調理メニュー選択部３０４で選択した後に、コース選択部３０１〜３０３の何れかを押下し、その後、切／スタート選択部３０５を押下することで、調理メニューにコースが付加される。
【００３５】
次に、メニュー選択部３０４について詳しく説明する。メニュー選択部３０４の左側のボタン（以後、下ボタンと呼ぶ）を押下すると、切身・干物、魚丸焼き、つけ焼き、鶏のグリル、ハンバーグ、角煮つけ、揚げ物温め、ノンフライ、の順に選択されるメニューが推移し、さらに下ボタンを押下すると、切身・干物の選択に戻る。一方、メニュー選択部３０４の右側のボタン（以後、上ボタンと呼ぶ）を押下すると、切身・干物の次はノンフライが選択される。つまり、メニュー選択部３０４によって複数の調理メニューから調理メニューを双方向に選択可能である。このように上ボタンと下ボタンを設けたことで、分類メニュー表示部３００に表示されている全てのメニューを容易に選択可能となる。
【００３６】
次に、コース選択部３０１〜３０３について詳しく説明する。切身・干物は、凍ったままコース、快速コースおよび加熱水蒸気コースの何れも追加可能な調理メニューである。一方、ハンバーグは、凍ったままコース、快速コースおよび加熱水蒸気コースの何れも追加不可能な調理メニューである。
【００３７】
メニュー選択部３０４で切身・干物を選択すると、コース選択部３０１〜３０３の図３上方に設けられているランプが点滅する。これにより、使用者はコース選択部３０１〜３０３のコースを追加可能であることを容易に認識できる。使用者はコース選択部３０１を押下すると、コース選択部３０１のランプが点灯し、コース選択部３０２〜３０３のランプが消灯する。そして、切／スタート選択部３０５を押下することで、切身・干物において凍ったまま調理が開始される。一方、メニュー選択部３０４で切身・干物を選択すると、コース選択部３０１〜３０３の上方に設けられているランプは点灯しない。つまり、選択された調理メニューに応じて、選択可能なコース選択部が異なる。これにより、使用者が選択可能な調理メニューの全てが一目で分かり、更にそれぞれの調理メニューに機能を付加可能なコースも一目で分かることから、使用者は所望の調理メニューおよびコースを簡便に選択できる。
【００３８】
メニュー選択部３０４の横幅は、分類メニュー表示部３００の横幅以下である。これにより、分類メニュー表示部３００に表示されている調理メニューの選択はメニュー選択部３０４にて行うことを使用者が容易に把握することができる。さらに、コース選択部３０１〜３０３のボタンの横幅は、メニュー選択部３０４および分類メニュー表示部３００の横幅以下である。これにより、分類メニュー表示部３００に表示されている調理メニューに、コース選択部３０１〜３０３で選択した機能を付加可能であることを使用者が容易に把握することができる。
【００３９】
図４は、トッププレート１０２を示す図である。上面操作部１１２は、鍋位置表示部１０４側の加熱コイル２０１の火力等を入力する上面操作部右１１２ａと、鍋位置表示部１０５側の加熱コイル２０２の火力等を入力する上面操作部左１１２ｂと、鍋位置表示部１０６側の加熱コイル２０３の火力等を入力する上面操作部中央１１２ｃと、から成っている。上面表示部１１３は、上面操作部１１２の各操作部に対応して上面表示部右１１３ａ、上面表示部左１１３ｂ、上面表示部中央１１３ｃと配置され、各上面操作部１１２で入力された内容を表示する。トッププレート１０２の後方には排気部１０９が設けられている。
【００４０】
図５は、上面操作部１１２および上面表示部１１３の図である。代表して上面操作部右１１２ａと上面表示部右１１３ａを用いて、以下説明する。なお、上面操作部左１１２ｂと上面表示部左１１３ｂは同等の構成であるので説明は省略する。なお、上面操作部中央１１２ｃと上面表示部中央１１３ｃも同等の構成でもよい。
【００４１】
３０は、切・スタートキーである。
【００４２】
３１（３１ａ〜３１ｄ）は、火力設定手段で、火力を設定するときに使用者が操作するものである。
【００４３】
３２（３２ａ〜３２ｂ）は、火力調整手段である。
【００４４】
３３は、ハンバーグや煮込みや保温などタイマー機能を使った調理を実施するときに加熱時間を選択する、タイマーキーである。
【００４５】
３４は、メニュー設定手段である。用意された複数の自動メニューの中から一つの自動メニューを選択するときに使用者が操作するものである。具体的には、焼き物調理や揚げ物調理を自動制御するために事前に組み込まれたメニュー群の中から使用するメニューを選択するものである。
【００４６】
上面表示部右１１３ａは、表示部５０を備える。表示部５０には火力設定手段３１で入力される火力、メニュー設定手段３４で入力されるメニュー、自動調理の進行状態などの情報、および経過時間等が表示されている。
【００４７】
ランプ３５〜４２は、ＬＥＤ等からなる。ランプ３５は、切・スタートキー３０が押され加熱開始が入力されると点灯する。ランプ３６〜３９は、火力設定手段３１で設定した火力のランプが点灯する。ランプ４０は、火力調整手段３２が有効時に点滅して知らせる。ランプ４１は、タイマーキー３３が有効時に点滅して知らせ、タイマー設定が進行中は点灯して知らせる。ランプ４２は、メニューキー３４が有効時に点滅して知らせ、メニュー設定が進行中は点灯して知らせる。
【００４８】
メニュー設定手段３４を操作すると、事前に組み込まれた自動メニューが表示部５０に表示される。メニュー設定手段３４を押すたびにメニューが切り替わり表示されるので、使用者は所望のメニューが表示されるまで、メニュー設定手段３４を操作する。自動メニューが表示されているときに切・スタートキー３０を操作すると自動調理が開始される。
【００４９】
なお、上面操作部１１２はタッチキーでも、押下することで反応するキーでも、どちらでも良い。
【００５０】
図６は、上面表示部右１１３ａに火力９が表示されている状態を示す図である。火力設定手段３１ａ（以下、とろ火ボタン）、火力設定手段３１ｂ（以下、弱火ボタン）、火力設定手段３１ｃ（以下、中火ボタン）、火力設定手段３１ｄ（以下、強火ボタン）、火力バー５１（５１ａ〜５１ｆ）、火力値表示領域５２を用いて説明する。
【００５１】
従来の加熱調理器において、火力設定手段を押下すると、選択した火力に応じた火力や数字を、複数のバーやインジケーターで表示していた。しかし、調理する際の火力は弱火や中火などの調理用語で表現されることが多く、調理レシピも同表現を用いて記載されている。よって、本体に表示される多様な火力表示と実火力の表現が合いにくいという課題があった。火力設定手段で例えば弱火の火力を設定した場合、表示されるバーを見てもどの火力が設定されているか一目で分かりにくかった。そこで、本発明の加熱調理器では、火力設定手段を押下すると、火力設定手段に一対一対応した火力バーが点灯する。設定された火力を使用者が容易に把握できる加熱調理器を提供する。
【００５２】
とろ火ボタンが押下されると火力値表示領域５２に火力「１」が表示される。そして、火力バー５１ａが点灯する。弱火ボタンが押下されると火力値表示領域５２に火力「２」が表示される。そして、火力バー５１ａと火力バー５１ｂが点灯する。中火ボタンが押下されると火力値表示領域５２に火力「６」が表示される。そして、火力バー５１ａ〜５１ｃが点灯する。強火ボタンが押下されると火力値表示領域５２に火力「９」が表示される。そして、火力バー５１ａ〜５１ｄが点灯する。図６では強火ボタンが押下されていることから、ランプ３９が点灯し、火力バー５１ａ〜５１ｄが点灯している。火力バー５１ｅは調整可能な火力の全体幅を点灯して表している。
【００５３】
このように、各火力設定手段３１の後方には、火力設定手段３１と火力バー５１が一対一対応するように、火力バー５１が配置されている。よって、火力設定手手段３１が押下されると、押下された火力設定手手段３１に対応する火力バー５１が点灯することから、設定されている火力を分かりやすく使用者に伝えることができる。
【００５４】
また、火力設定手段３１の後方に配置されている、火力設定手段３１各々に対応する火力バー５１の横幅は、火力設定手段の横幅以下である。例えば、火力バー５１ａの横幅は、火力設定手段３１ａの横幅以下である。これにより、表示されている火力バー５１の横幅によって、設定されている火力を使用者に分かりやすく伝えることができる。
【００５５】
図７は、上面表示部右１１３ａに火力４が表示されている状態を示す図である。火力調整手段３２ａ（以下、左ボタン）と火力調整手段３２ｂ（以下、右ボタン）を用いて説明する。
【００５６】
本実施例では、火力値表示領域５２に表示される火力は１２段階である。とろ火は火力１、弱火は火力２〜５、中火は火力６〜８、強火は火力９〜１２が対応している。使用者が弱火ボタンを押下すると、火力バー５１ａおよび５１ｂが点灯する。そして、前述の通り火力値表示領域５２に火力「２」が表示される。このとき、右ボタンを押下することで、火力を少しだけ増すことができる。火力値表示領域５２に火力「２」が表示されている場合に右ボタンを２回押下すると、図７に示す通り火力値表示領域５２に火力「４」が表示される。さらに右ボタンを２回押下すると、火力値表示領域５２に火力「６」が表示される。火力「６」は中火の範囲内の火力であるから、ランプ３７が消灯し、中火ボタンに対応したランプ３８が点灯する。そして、火力バー５１ｃが点灯する。
【００５７】
なお、説明のし易さを優先して火力バー５１をハッチングしているが、使用者の視認性を考慮すると単色であるのが望ましい。
【００５８】
また、設定されている火力に応じて、火力バー５１の色が変更されてもよい。例えば火力１の場合は緑色、火力２〜５の場合は黄色、火力６〜８の場合はオレンジ色、火力９〜１２の場合は赤色とすることが考えられる。これにより、色によっても設定されている火力を分かりやすく使用者に伝えることができる。
【００５９】
また、表示部５０の背景色を黒色など濃い色にしても良い。これにより、火力バー５１の色が鮮やかに目に映ることから、設定されている火力を分かりやすく使用者に伝えることができる。
【００６０】
また、表示部５０に表示される火力バー５１以外の表示、例えば火力値表示領域５２の数字の色を火力バー５１の色と同様にしても良い。例えば、火力「９」の場合は火力バー５１が赤色であるから、火力値表示領域５２の数字を赤色で表示する。これも同様に、設定されている火力を分かりやすく使用者に伝えることができる。
【００６１】
図８は、上面表示部右１１３ａに火力１２が表示されている状態を示す図である。前述の通り、強火は火力９〜１２が対応している。特に、火力１１（２．６ｋＷ）および火力１２（３．２ｋＷ）は高火力である。よって、１つの加熱コイルで高火力を用いると他の加熱コイルやグリルで使用できる火力に強い制限がかかることになる。よって、強火ボタンを押しても火力「１０」までしか設定できず、火力１１〜１２を設定するためには火力調整手段３２ｂを押下する必要が有る。これにより、他の加熱コイルやグリルで用いる火力が制限されるケースが少なくなり、誘導加熱調理器１００の複数の加熱手段を有効活用して調理を行うことができる。
【００６２】
また、火力「１０」の状態から右ボタンを押下する毎に、火力バー５１ｆの数が増えていく。図８では火力１２であるから、火力バー５１ｅが２つ点灯している。火力バー５１ｆの横幅は、他の火力バー５１ａ〜５１ｄよりも短い。
【００６３】
また、火力バー５１ｅにより調整可能な火力の全体幅を表している。これにより、強火ボタン３１ｄを押下することで設定される火力１０より大きい火力があることを示すことができる。さらに、火力が大きくなることを、火力バーと火力値表示領域の数字の両方で表現することができる。
【００６４】
なお、火力バー５１ｄと火力バー５１ｆを合わせて１本の火力バーとし、その火力バーの横幅を強火ボタン３１ｄの横幅以下としてもよい。
【００６５】
なお、通信手段１１５または通信手段１１４で受信した、通信端末１２０にて選択された調理レシピに基づいて誘導加熱調理器１００が動作する場合、通信手段１１５または通信手段１１４で受信した火力情報に応じて、火力バー５１の表示を変更してもよい。この場合、受信した火力情報に応じて、火力設定手段３１の後方に設けられているランプが点灯してもよい。
【００６６】
よって、被加熱物を載置するプレートと、前記プレートの下方に設けられ前記被加熱物を加熱する加熱部と、前記加熱部に供給する電力を制御するインバータと、前記加熱部の火力が入力される火力設定部と、前記火力設定部で設定された前記火力に関する情報を表示する火力表示部と、を備え、前記火力表示部は、少なくとも前記火力を、１つ以上のバーで構成される第１火力バーで表示し、前記第１火力バーは、入力された前記火力設定部に対応して表示される、加熱調理器である。
【００６７】
さらに、前記火力表示部は、前記火力設定部で設定可能な最大火力が設定された場合の前記第１火力バーの横幅と略同一である第２火力バーを表示する、加熱調理器である。
【００６８】
さらに、前記火力バーのバーの横幅は、対応する火力設定部の横幅以下である、加熱調理器である。
【００６９】
図９から図２０は、本発明の一実施形態に係る、誘導加熱調理器の外観図である。図９が斜視図、図１０が平面図、図１１が正面図、図１２が右側面図、図１３が左側面図、図１４が底面図、図１５が背面図、図１６が内部機構省略のＡ−Ａ断面図、図１７が内部機構省略のＢ−Ｂ断面図、図１８がＣ−Ｃ部分拡大図、図１９がグリルドアを開けた状態を示す参考図、図２０が透光性および透明部を示す参考図である。
【００７０】
本発明の実施形態に係る誘導加熱調理器１００は、本体の上面に設けられたトッププレート１０２と、本体の前面左側に設けられたグリル加熱手段１０７と、前面右側に設けられた前面操作部１１０と、前面操作部１１０の上方に設けられた電源切／入スイッチ１１１とから構成される。
【００７１】
トッププレート１０２は、ガラスで構成されており、複数のヒータ部（加熱コイル２０１、２０２、２０３）と、複数のヒータ部の手前側に設けられた上面表示部１１３と、上面表示部１１３の手前側に設けられた上面操作部１１２とを備えている。
【００７２】
上面表示部１１３は、加熱コイル２０１の動作状態を表示する上面表示部右１１３ａと、加熱コイル２０２の加熱コイル２０２の動作状態を表示する上面表示部左１１３ｂと、上面表示部右１１３ａと上面表示部左１１３ｂの間に配置された上面表示部中央１１３ｃとを備えている。
【００７３】
上面操作部１１２は、上面表示部右１１３ａの手前側に設けられた上面操作部右１１２ａと、上面表示部左１１３ｂの手前側に設けられた上面操作部左１１２ｂと、上面表示部中央１１３ｃの手前側に設けられた上面操作部中央１１２ｃとを備えている。
【００７４】
図２０において、右上がり斜線で示した部分（上面表示部１１３）と、トッププレート１０２に設けられた各操作部（上面表示部右１１３ａ、上面表示部左１１３ｂ、上面表示部中央１１３ｃ）の上方に配置された複数の小さな矩形状部分（図５のランプ３５〜４２）は透光性を有し、左上がり斜線で示した窓部１１７は透明である。
【００７５】
なお、前述の一実施形態では、加熱手段として誘導加熱方式を採用した加熱調理器を例に説明した。しかし、燃焼式の加熱手段や電熱式の加熱手段であってもよく、これらの加熱手段を組み合わせた加熱調理器であってもよい。
【００７６】
また、本発明は、上述した実施例に限定するものではなく、様々な変形例が含まれる。上述した実施例は本発明を分かり易く説明するために詳細に説明したものであり、必ずしも説明した全ての構成を備えるものに限定するものではない。
【符号の説明】
【００７７】
３０  切・スタートキー
３１  火力設定手段
３２  火力調整手段
３５〜４２  ランプ
５０  表示部
５１  火力バー
５２  火力値表示領域
１００  誘導加熱調理器
１０１  本体
１０９  排気部
１１０  前面操作部
１１０ａ  前面操作キー
１１０ｂ  前面表示部
１１２  上面操作部
１１２ａ  上面操作部右
１１２ｂ  上面操作部左
１１２ｃ  上面操作部中央
１１３  上面表示部
１１３ａ  上面表示部右
１１３ｂ  上面表示部左
１１３ｃ  上面表示部中央
１１７  窓部
１１８  グリルドア
１１９  ハンドル
１２０  通信端末
１３０  無線ルータ
１４０  ネットワーク
１５０  サーバ
２１２  制御手段
３００  分類メニュー表示部
３０１〜３０３  コース選択部
３０４  メニュー選択部
３０５  切／スタート選択部
【図１】
2020202143.tif 000003
【図２】
2020202143.tif 000004
【図３】
2020202143.tif 000005
【図４】
2020202143.tif 000006
【図５】
2020202143.tif 000007
【図６】
2020202143.tif 000008
【図７】
2020202143.tif 000009
【図８】
2020202143.tif 000010
【図９】
2020202143.tif 000011
【図１０】
2020202143.tif 000012
【図１１】
2020202143.tif 000013
【図１２】
2020202143.tif 000014
【図１３】
2020202143.tif 000015
【図１４】
2020202143.tif 000016
【図１５】
2020202143.tif 000017
【図１６】
2020202143.tif 000018
【図１７】
2020202143.tif 000019
【図１８】
2020202143.tif 000020
【図１９】
2020202143.tif 000021
【図２０】
2020202143.tif 000022